【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】
文字列の入力により文書を作成する文書編集処理装置において、
文字及び画像を表示可能な表示手段と、
前記表示手段の文書作成領域に文字列を入力する入力手段と、
図形、画像情報、音声情報、動画情報の少なくともいずれかを含むマルチメディア情報を格納した記憶手段と、
読みデータと表示文字とを対応付け、さらに読みデータと表示すべきマルチメディア情報を示すマルチメディア情報識別子とを対応付けた単語辞書と、
前記単語辞書中の読みデータに対応するキーワードと、マルチメディア情報識別子とを対応づけたマルチメディア情報登録テーブルと、
前記入力手段からの新たな文字入力処理ごとに、未確定文字を検索条件として前記単語辞書の読みデータについての前方一致検索を実行する検索手段と、を有し、
前記検索手段による検索結果として前記単語辞書から抽出されたデータ中にマルチメディア情報識別子が含まれる場合は、マルチメディア情報識別子に基づいて決定されるマルチメディア情報を前記記憶手段から抽出して、前記表示手段に選択可能な変換候補データとして表示する構成を有することを特徴とする文書編集処理装置。
【請求項２】
前記文書編集処理装置は、さらに、
確定文字と、確定文字に続く入力可能性の高い文字の読みデータと、該読みデータに対応する表示文字とを対応付け、さらに読みデータと表示すべきマルチメディア情報を示すマルチメディア情報識別子とを対応付けた文例辞書を有し、
前記検索手段は、前記入力手段からの入力文字確定処理または新たな文字入力処理の少なくともいずれかの処理ごとに、確定文字、または確定文字と未確定文字の組み合わせを検索条件として前記文例辞書の登録確定文字検索、または登録確定文字と登録読みデータの前方一致検索を実行し、
前記検索手段による検索結果として前記文例辞書から抽出されたデータ中にマルチメディア情報識別子が含まれる場合は、マルチメディア情報識別子の示すマルチメディア情報を前記記憶手段から抽出して、前記表示手段に選択可能な変換候補データとして表示する構成を有することを特徴とする請求項１に記載の文書編集処理装置。
【請求項３】
前記マルチメディア情報登録テーブルは、個々のマルチメディア情報識別子に対応して、前記記憶手段に記憶されたマルチメディア情報をアクセスするマルチメディア情報アクセスデータを有し、
該マルチメディア情報アクセスデータは、マルチメディア情報の格納された記憶手段を指定するデータを有することを特徴とする請求項１に記載の文書編集処理装置。
【請求項４】
前記マルチメディア情報を格納した記憶手段は、ネットワークを介してアクセス可能な記憶手段であることを特徴とする請求項１に記載の文書編集処理装置。
【請求項５】
前記マルチメディア情報登録テーブルは、個々のマルチメディア情報識別子に対応して、１以上のキーワードが対応付けられた構成を有することを特徴とする請求項１に記載の文書編集処理装置。
【請求項６】
前記マルチメディア情報登録テーブルは、登録データの追加、削除、修正等の各種変更処理が可能な構成を有し、マルチメディア情報登録テーブルにおける登録マルチメディア情報識別子またはキーワードの追加、削除、修正等の各種変更処理は、前記単語辞書の対応登録データに反映し、前記単語辞書においても同様の変更が実行される構成を有することを特徴とする請求項１に記載の文書編集処理装置。
【請求項７】
前記マルチメディア情報登録テーブルは、登録データの追加、削除、修正等の各種変更処理が可能な構成を有し、マルチメディア情報登録テーブルにおける登録マルチメディア情報識別子またはキーワードの追加、削除、修正等の各種変更処理は、前記文例辞書の対応登録データに反映し、前記文例辞書中においても同様の変更が実行される構成を有することを特徴とする請求項２に記載の文書編集処理装置。
【請求項８】
前記変換候補データは、前記表示手段の文書作成領域、またはその近傍に予め定められた表示数：Ｎを超えない複数個の変換候補データの集合として表示され、表示された変換候補データから選択された変換候補単語、または変換候補マルチメディア情報を文書作成領域中の文書入力位置に確定データとして表示する構成を有することを特徴とする請求項１に記載の文書編集処理装置。
【請求項９】
前記単語辞書は、登録データの登録順を動的に変更する構成を有し、文書作成処理において文書構成データとして選択された場合に、前記単語辞書中の該当データを先頭に移動する構成を有し、
前記検索手段は、前記単語辞書の検索を辞書の先頭データから順次実行する構成を有することを特徴とする請求項１に記載の文書編集処理装置。
【請求項１０】
前記文例辞書は、登録データの登録順を動的に変更する構成を有し、文書作成処理において文書構成データとして選択された場合に、前記文例辞書中の該当データを先頭に移動する構成を有し、
前記検索手段は、前記文例辞書の検索を辞書の先頭データから順次実行する構成を有することを特徴とする請求項２に記載の文書編集処理装置。
【請求項１１】
文字列の入力により文書を作成する文書編集処理装置において、
文字及び画像を表示可能な表示手段と、
前記表示手段の文書作成領域に文字列を入力する入力手段と、
図形、画像情報、音声情報、動画情報の少なくともいずれかを含むマルチメディア情報をファイル名に応じて抽出可能に格納した記憶手段と、
読みデータと表示文字とを対応付けた文書辞書と、
前記入力手段からの新たな文字入力処理ごとに、未確定文字を検索条件として前記文書辞書の読みデータについての前方一致検索を実行する辞書検索手段と、前記入力手段からの新たな文字入力処理ごとに、未確定文字を検索条件として前記記憶手段のファイル名についての前方一致検索を実行するファイル検索手段と、
前記辞書検索手段による検索結果として前記文書辞書から抽出されたデータ、および前記ファイル検索手段による検索結果として前記記憶手段から抽出されたマルチメディア情報を、前記表示手段に選択可能な変換候補データとして表示する構成を有することを特徴とする文書編集処理装置。
【請求項１２】
前記文書編集処理装置において、前記辞書検索手段による文書辞書の検索処理と、前記ファイル検索手段による前記記憶手段のファイル検索処理を並列に実行する構成を有することを特徴とする請求項１１に記載の文書編集処理装置。
【請求項１３】
前記文書編集処理装置において、
前記文書辞書は複数の異なる文書辞書によって構成され、前記複数の文書辞書の検索を実行する複数の辞書検索手段を有し、該複数の辞書検索手段による文書辞書の検索処理は並列に実行される構成であることを特徴とする請求項１１に記載の文書編集処理装置。
【請求項１４】
前記マルチメディア情報を格納した記憶手段は、ネットワークを介してアクセス可能な記憶手段であることを特徴とする請求項１１に記載の文書編集処理装置。
【請求項１５】
前記変換候補データは、前記表示手段の文書作成領域、またはその近傍に予め定められた表示数：Ｎを超えない複数個の変換候補データの集合として表示され、表示された変換候補データから選択された変換候補単語、または変換候補マルチメディア情報を文書作成領域中の文書入力位置に確定データとして表示する構成を有することを特徴とする請求項１１に記載の文書編集処理装置。
【請求項１６】
文字列の入力により文書を作成する文書編集処理装置において、
文字及び画像を表示可能な表示手段と、
前記表示手段の文書作成領域に文字列を入力する入力手段と、
読みデータと表示文字とを対応付けるとともに、読みデータと図形、画像情報、音声情報、動画情報の少なくともいずれかを含むマルチメディア情報とを対応付けたマルチメディア辞書と、
前記入力手段からの新たな文字入力処理ごとに、未確定文字を検索条件として前記マルチメディア辞書の読みデータについての前方一致検索を実行する検索手段と、
前記検索手段による検索結果として前記マルチメディア辞書から抽出された表示文字またはマルチメディア情報の少なくともいずれかを、前記表示手段に選択可能な変換候補データとして表示する構成を有することを特徴とする文書編集処理装置。
【請求項１７】
前記マルチメディア情報を記録データとする前記マルチメディア辞書は、ネットワークを介してアクセス可能な記憶手段に格納された構成であることを特徴とする請求項１６に記載の文書編集処理装置。
【請求項１８】
前記変換候補データは、前記表示手段の文書作成領域、またはその近傍に予め定められた表示数：Ｎを超えない複数個の変換候補データの集合として表示され、表示された変換候補データから選択された変換候補単語、または変換候補マルチメディア情報を文書作成領域中の文書入力位置に確定データとして表示する構成を有することを特徴とする請求項１６に記載の文書編集処理装置。
【請求項１９】
文字列の入力により文書を作成する文書編集処理装置において、
文字及び画像を表示可能な表示手段と、
前記表示手段の文書作成領域に文字列を入力する入力手段と、
読みデータと表示文字とを対応付けるとともに、読みデータと図形、画像情報、音声情報、動画情報の少なくともいずれかを含むマルチメディア情報、または、該マルチメディア情報を格納したアドレスデータとを対応付けたマルチメディア辞書と、
図形、画像情報、音声情報、動画情報の少なくともいずれかを含むマルチメディア情報をアドレスに応じて抽出可能に格納した記憶手段と、
前記入力手段からの新たな文字入力処理ごとに、未確定文字を検索条件として前記マルチメディア辞書の読みデータについての前方一致検索を実行する検索手段と、
前記検索手段による検索結果として前記マルチメディア辞書から抽出された表示文字またはマルチメディア情報、または前記マルチメディア辞書から抽出されたアドレスデータに基づいて前記記憶手段から抽出されたデータの少なくともいずれかを、前記表示手段に選択可能な変換候補データとして表示する構成を有することを特徴とする文書編集処理装置。
【請求項２０】
前記マルチメディア情報を格納した記憶手段は、ネットワークを介してアクセス可能な記憶手段であることを特徴とする請求項１９に記載の文書編集処理装置。
【請求項２１】
前記変換候補データは、前記表示手段の文書作成領域、またはその近傍に予め定められた表示数：Ｎを超えない複数個の変換候補データの集合として表示され、表示された変換候補データから選択された変換候補単語、または変換候補マルチメディア情報を文書作成領域中の文書入力位置に確定データとして表示する構成を有することを特徴とする請求項１９に記載の文書編集処理装置。
【請求項２２】
文字及び画像を表示可能な表示手段と、前記表示手段の文書作成領域に文字列を入力する入力手段と、図形、画像情報、音声情報、動画情報の少なくともいずれかを含むマルチメディア情報を格納した記憶手段とを有する文書編集処理装置における文書編集処理方法であり、
入力手段からの新たな文字入力処理ごとに、未確定文字を検索条件として設定する検索条件設定ステップと、
前記検索条件設定ステップにおいて設定された検索条件に基づいて、読みデータと表示すべきマルチメディア情報を示すマルチメディア情報識別子とを対応付けた単語辞書の読みデータについての前方一致検索を実行する検索ステップと、
前記検索ステップにおいて前記単語辞書から抽出されたデータ中にマルチメディア情報識別子が含まれる場合、マルチメディア情報識別子に基づいて決定されるマルチメディア情報を前記記憶手段から抽出するマルチメディア情報抽出ステップと、
前記マルチメディア情報抽出ステップにおいて抽出されたマルチメディア情報を前記表示手段に選択可能な変換候補データとして表示する表示ステップと、
を有することを特徴とする文書編集処理方法。
【請求項２３】
文字及び画像を表示可能な表示手段と、前記表示手段の文書作成領域に文字列を入力する入力手段と、読みデータと表示文字とを対応付けた文書辞書と、図形、画像情報、音声情報、動画情報の少なくともいずれかを含むマルチメディア情報をファイル名に応じて抽出可能に格納した記憶手段とを有する文書編集処理装置における文書編集処理方法であり、
入力手段からの新たな文字入力処理ごとに、未確定文字を検索条件として設定する検索条件設定ステップと、
前記入力手段からの新たな文字入力処理ごとに、未確定文字を検索条件として前記文書辞書の読みデータについての前方一致検索を実行する辞書検索ステップと、
前記入力手段からの新たな文字入力処理ごとに、未確定文字を検索条件として前記記憶手段のファイル名についての前方一致検索を実行するファイル検索ステップと、
前記辞書検索ステップによる検索結果として前記文書辞書から抽出されたデータ、および前記ファイル検索ステップによる検索結果として前記記憶手段から抽出されたマルチメディア情報を、前記表示手段に選択可能な変換候補データとして表示する表示ステップと、
を有することを特徴とする文書編集処理方法。
【請求項２４】
文字及び画像を表示可能な表示手段と、前記表示手段の文書作成領域に文字列を入力する入力手段と、読みデータと表示文字とを対応付けるとともに、読みデータと図形、画像情報、音声情報、動画情報の少なくともいずれかを含むマルチメディア情報とを対応付けたマルチメディア辞書とを有する文書編集処理装置における文書編集処理方法であり、
入力手段からの新たな文字入力処理ごとに、未確定文字を検索条件として設定する検索条件設定ステップと、
前記入力手段からの新たな文字入力処理ごとに、未確定文字を検索条件として前記マルチメディア辞書の読みデータについての前方一致検索を実行する辞書検索ステップと、
前記辞書検索ステップによる検索結果として前記マルチメディア辞書から抽出されたデータを、前記表示手段に選択可能な変換候補データとして表示する表示ステップと、
を有することを特徴とする文書編集処理方法。
【請求項２５】
文書編集処理をコンピュータ・システム上で実行せしめるコンピュータ・プログラムを有形的に提供するプログラム提供媒体であって、前記コンピュータ・プログラムは、
入力手段からの新たな文字入力処理ごとに、未確定文字を検索条件として設定する検索条件設定ステップと、
前記検索条件設定ステップにおいて設定された検索条件に基づいて、読みデータと表示すべきマルチメディア情報を示すマルチメディア情報識別子とを対応付けた単語辞書の読みデータについて、前方一致検索を実行する検索ステップと、
前記検索ステップにおいて前記単語辞書から抽出されたデータ中にマルチメディア情報識別子が含まれる場合、マルチメディア情報識別子に基づいて決定されるマルチメディア情報を前記記憶手段から抽出するマルチメディア情報抽出ステップと、
前記マルチメディア情報抽出ステップにおいて抽出されたマルチメディア情報を前記表示手段に選択可能な変換候補データとして表示する表示ステップと、
を有することを特徴とするプログラム提供媒体。
【請求項２６】
文書編集処理をコンピュータ・システム上で実行せしめるコンピュータ・プログラムを有形的に提供するプログラム提供媒体であって、前記コンピュータ・プログラムは、
入力手段からの新たな文字入力処理ごとに、未確定文字を検索条件として設定する検索条件設定ステップと、
前記入力手段からの新たな文字入力処理ごとに、未確定文字を検索条件として文書辞書の読みデータについての前方一致検索を実行する辞書検索ステップと、
前記入力手段からの新たな文字入力処理ごとに、未確定文字を検索条件として記憶手段のファイル名についての前方一致検索を実行するファイル検索ステップと、
前記辞書検索ステップによる検索結果として前記文書辞書から抽出されたデータ、および前記ファイル検索ステップによる検索結果として前記記憶手段から抽出されたマルチメディア情報を、前記表示手段に選択可能な変換候補データとして表示する表示ステップと、
を有することを特徴とするプログラム提供媒体。